(57)【要約】【課題】携帯電話機を有効に活用して、収容物を即座に取り出すことができるように収容することが可能な携帯電話機取付用収容具を提供すること。【解決手段】この発明の携帯電話機取付用収容具は、収容物１を開口部２から挿脱自在に収容できるようにした扁平な袋状の収容具であって、外面に携帯電話機の背面に取り付けるための取り付け部４を有したものとしている。内面には、収容物１を保護する保護材１４を設けることができる。また、板状のルーペを収容物１として収容したものとすることができる。【選択図】  図２
2004297489.tif 000002
【特許請求の範囲】
【請求項１】
収容物（１）を開口部（２）から挿脱自在に収容できるようにした扁平な袋状の収容具であって、外面に携帯電話機（３）の背面に取り付けるための取り付け部（４）を有していることを特徴とする携帯電話機取付用収容具。
【請求項２】
内面に収容物（１）を保護する保護材（１４）を設けた請求項１記載の携帯電話機取付用収容具。
【請求項３】
板状のルーペを収容物（１）として収容している請求項１又は２記載の携帯電話機取付用収容具。
【発明の詳細な説明】
【０００１】
【発明の属する技術分野】
この発明は、携帯電話機に取り付け、適宜のものを収容できるようにした携帯電話機取付用収容具に関するものである。
【０００２】
【従来の技術】
従来、特許文献１に記載のような携帯用眼鏡ケースがあった。この眼鏡ケースは、眼鏡を収納する袋状の収納体を形成し、この収納体上部の開口部周囲縁に弾性材の開口保持体を設けたもので、普段は衣服の胸ポケット等に収納しておき、眼鏡が必要になったときに、胸ポケットから取り出し、そして、収納体から眼鏡を取り出すような使い方をすることができる。
【０００３】
しかし、このような携帯用眼鏡ケースは嵩張るものであり、衣服の胸ポケットに常に入れておくのは鬱陶しく感じられることが多く、また、眼鏡が必要になったときに即座に取り出しにくい。
【０００４】
また、近年、日常において携帯電話機を持ち歩く人が多いが、携帯電話機は、ストラップを取り付けたりステッカーを貼り付けたりすることはあっても、他に有効な活用はなされていなかった。
【０００５】
【特許文献１】
実開平３−２２７１４号公報
【０００６】
【発明が解決しようとする課題】
そこで、この発明は、携帯電話機を有効に活用して、収容物を即座に取り出すことができるように収容することが可能な携帯電話機取付用収容具を提供することを課題とする。
【０００７】
【課題を解決するための手段】
前記課題を解決するため、この発明は次のような技術的手段を講じている。
【０００８】
この発明の携帯電話機取付用収容具は、収容物１を開口部２から挿脱自在に収容できるようにした扁平な袋状の収容具であって、外面に携帯電話機３の背面に取り付けるための取り付け部４を有したものとしている。
【０００９】
内面には、収容物１を保護する保護材１４を設けることができる。
【００１０】
また、板状のルーペを収容物１として収容したものとすることができる。
【００１１】
【発明の実施の形態】
以下、この発明の実施の形態を、図面を参照して説明する。
【００１２】
この発明の携帯電話機取付用収容具は、収容物１を開口部２から挿脱自在に収容できるようにした扁平な袋状の収容具であって、外面に携帯電話機３の背面に取り付けるための取り付け部４を有しているものである。
【００１３】
図１は、この発明の実施形態の携帯電話機取付用収容具を、携帯電話機３に取り付けた状態の斜視図、図２は、この携帯電話機取付用収容具の取り付け部４を有する側を表に向け、収容物１を取り出した状態の斜視図、図３は、この携帯電話機取付用収容具の断面図である。
【００１４】
この携帯電話機取付用収容具は、合成樹脂で一体的に形成したものとする他、生地を縫製してなるもの等とすることもできる。また、合成樹脂や皮革、布等、適宜の素材からなるものとすることができる。
【００１５】
この実施形態では、携帯電話機取付用収容具は、合成樹脂製の四角形の板状の前壁５と後壁６とを、互いの左右縁部７，８及び下端部９で連結してなるもので、前壁５と後壁６の上端部１０側を開口部２とした構成としている。
【００１６】
前壁５と後壁６は、折り畳み型の携帯電話機３の本体（ダイヤルボタン等を設けた側）の背面とほぼ同じ縦８０ｍｍ×横４６ｍｍ程度の大きさとしているが、特にこの大きさに限定されない。
【００１７】
前壁５は、その上端部１０側が左下がりの斜め方向に切欠した形状とし、収容物１の一部が露出して取り出しやすくなるようにしている。また、前壁５は前方に緩やかに膨らむように湾曲し、収容物１を収容する収容部１１のスペースが確保されるようにしている。
【００１８】
後壁６は、その外面（この収容具の裏面）を平面状とし、携帯電話機３に取り付けるための取り付け部４としている。この実施形態では、後壁６の取り付け部４には、図２に示したように、取り付け部材１２として両面接着テープを設けており、その剥離紙１３を剥がして携帯電話機３に貼着できるようになっている。両面接着テープは、例えば比較的粘着力の強い感圧接着剤をテープに塗布したものとすることにより、携帯電話機３に剥がし跡が残らないようにきれいに剥がすことができ、かつ何度も繰り返して貼着できるようにするとよい。
【００１９】
なお、取り付け部材１２は、両面接着テープ以外にも、互いに結合する一対の面ファスナーの一方とし、面ファスナーの他方を携帯電話機３に設ける等して、この携帯電話機取付用収容具を着脱自在に携帯電話機３に取り付けられるようにすることができる。また、感圧接着剤を直接取り付け部４に塗布したものとすることもできる。
【００２０】
前壁５と後壁６の内面には、図３に示したように、それぞれ収容物１を保護する保護材１４が設けられている。保護材１４は、収容物１を保護するとともに、収容物１が脱落しないように保持できるようにしたもので、厚手の布やスポンジ等とすることができる。この保護材１４は、接着剤により前壁５と後壁６の内面に貼着することにより固定するとよい。
【００２１】
収容部１１は、前壁５と後壁６の内面に設けられた保護材１４に囲まれた空間としている。収容部１１の大きさは、収容物１を収容した状態において、収容物１が前後両側から保護材１４に押圧されることにより、この携帯電話機取付用収容具が上下逆さまになっても、収容物１が脱落しないようにすることが望ましい。
【００２２】
この携帯電話機取付用収容具は、携帯電話機３の背面に取り付けることができる。携帯電話機３は、図示したような折り畳み型のものに限らず、ストレート型のものでもよい。
【００２３】
この実施形態では、収容物１として、板状のルーペを収容している。このルーペは、枠１５の内側に凸レンズ１６を嵌め込んだものとしている。枠１５は、金属製や合成樹脂製とすることができ、縦９０ｍｍ×横３８ｍｍ程度の長円形状としているが、特にこの大きさ、形状に限定されず、この携帯電話機取付用収容具に収容できるものであればよい。
【００２４】
凸レンズ１６は、ガラス製で、長方形の一方の短辺側を半円形にした形状で、枠１５に嵌め込んだ状態において、他方の短辺側に、枠１５との間に指が入る程度の大きさの穴１７ができるようにしている。この枠１５と凸レンズ１６からなる収容物１は、ルーペとして十分な拡大機能を有するとともに、収容部１１からの出し入れがスムーズに行えるような厚みを有するものとすることが望ましい。
【００２５】
なお、収容物１を、凸レンズ１６の代わりに、合成樹脂製の板状のフレネルレンズを枠１５にはめ込んだものとし、より軽量で割れにくいものとすることもできる。
【００２６】
使用者は、この前記穴１７のある側の枠１５を指でつまむことにより、収容物１を支持し、また、指を引っ掛けて収容部１１に収容物１を挿脱することができる。収容物１は、前記枠１５の一部が露出する態様で収容されており、必要なときにすばやく取り出すことができる。
【００２７】
なお、板状のルーペ以外にも、鏡や写真、ＩＣカード等を収容物１として収容することもできる。
【００２８】
図４は、この発明の他の実施形態の携帯電話機取付用収容具の斜視図である。この携帯電話機取付用収容具は、前壁５の上端部１０の右端部にクリップ１８を設けており、携帯電話機３から取り外して、あるいは携帯電話機３に取り付けたままの状態で、衣服の胸ポケット等に取り付けることができるようになっている。
【００２９】
以上、この発明の携帯電話機取付用収容具は、扁平な袋状であり、嵩張らないため、この収容具を取り付けた携帯電話機３は、収容具を取り付けていない場合と同様に取り扱うことができ、特に収容具の存在が気になることもなく、また、ルーペ等の収容物１を必要なときに即座に取り出すことができるので、携帯電話機３をより便利に使用することが可能となる。
【００３０】
例えば、老眼の人が、老眼鏡を着用していないときに携帯電話機３が着信した場合、携帯電話機３の表示部に表示される発信者の名前を確認するために衣服のポケットや鞄から老眼鏡を取り出そうしている間に、着信が切れてしまうことがあるが、この携帯電話機取付用収容具に収容物１としてルーペを収容しておけば、携帯電話機３の着信が切れる前に、迅速に収容物１（ルーペ）を取り出して発信者の名前の確認を行い、通話することができる。
【００３１】
さらに、老眼鏡を取り出して着用するには両手が必要となるため、携帯電話機３をいったん手から離さなければならなくなるが、この携帯電話機取付用収容具を携帯電話機３に取り付けておけば、片方の手で携帯電話機３を持ちながら、もう一方の手で収容物１（ルーペ）を取り出して使用することができる。
【００３２】
また、携帯電話機３は普段持ち歩くものであるため、携帯電話機３の使用時、不使用時にかかわらず、日常、例えばショッピングでの値札の確認や、雑誌、新聞を読む際等に、すぐに収納物１（ルーペ）を取り出して使用することができる。
【００３３】
以上のように、この携帯電話機取付用収容具に収容物１としてルーペを収容しておくと、わざわざ老眼鏡を取り出すまでもないが、何かを拡大して見る必要が生じた場合に、収納物１（ルーペ）を迅速に取り出し、簡便に使用することができる。
【００３４】
【発明の効果】
この発明の携帯電話機取付用収容具は、上述のような構成を有しており、携帯電話機３の背面に取り付けておくことにより、収容した収容物１を即座に取り出すことが可能で、携帯電話機３を有効に活用することができる。
【００３５】
この携帯電話機取付用収容具は、何かを拡大して見たくなったときに必要となる板状のルーペを収容物１として収容したものとすることにより、便利に使用することができ、また、内面に保護材１４を設けることにより、収容物１を保護することができる。
【図面の簡単な説明】
【図１】この発明の実施形態の携帯電話機取付用収容具を、携帯電話機に取り付けた状態の斜視図である。
【図２】この発明の実施形態の携帯電話機取付用収容具で、取り付け部を有する側を表に向け、収容物を取り出した状態の斜視図である。
【図３】この発明の実施形態の携帯電話機取付用収容具の断面図である。
【図４】この発明の他の実施形態の携帯電話機取付用収容具の斜視図である。
【符号の説明】
１  収容物
２  開口部
３  携帯電話機
４  取り付け部
１４  保護材
【図１】
2004297489.tif 000003
【図２】
2004297489.tif 000004
【図３】
2004297489.tif 000005
【図４】
2004297489.tif 000006